(57)【要約】 【課題】泥棒が開閉体のガラスを破壊しても、サブロック錠の摘み操作部材を操作しない限り、ロック装置の操作レバーを解錠方向へ操作することができないこと。【解決手段】窓枠にロック装置に対して所要の間隔を有してロック部材の解錠方向への移動を阻止するサブロック錠を配設し、該サブロック錠は、窓枠に取付けられた固定部材にスライド自在に設けられた摘み操作部材と、該摘み操作部材の操作力によって回動するように固定部材に軸支された駆動腕と、この駆動腕の駆動力によって上下動することができるようにロック部材に一体的に設けられた連結部材から成ることを特徴とする開き窓の開閉体用ロック装置。【選択図】  図５
2005105563.tif 000002
【特許請求の範囲】
【請求項１】
開閉体の自由端部に被係合部材を固定し、一方、窓枠に前記被係合部材と係脱するロック部材、該ロック部材を上下方向へ移動させる操作レバーをそれぞれ装着したロック装置を備えた開き窓の開閉体用ロック装置に於いて、前記窓枠にロック装置Ｙに対して所要の間隔を有して前記ロック部材の解錠方向への移動を阻止するサブロック錠Ｘを配設し、該サブロック錠は、窓枠に取付けられた固定部材にスライド自在に設けられた摘み操作部材と、該摘み操作部材の操作力によって回動するように前記固定部材に軸支された駆動腕と、この駆動腕の駆動力によって上下動することができるように前記ロック部材に一体的に設けられた連結部材から成ることを特徴とする開き窓の開閉体用ロック装置。
【請求項２】
請求項１に於いて、固定部材１４の上端部の係合支持部２３と摘み操作部材３１の被係合支持部３４とは互いに連結され、一方、固定部材１４の下端部と摘み操作部材３１の下端部は、バネ部材４０を介して互いに連結されていることを特徴とする開き窓の開閉体用ロック装置。
【請求項３】
請求項１又は請求項２に於いて、駆動腕４１の内端部４１ｂには、サブロック錠の施錠時に施錠片３３の係止部３６と係合可能な鉤状第１係合部４３と、この第１係合部４３とは反対側に形成され、かつ、ロック装置Ｙの操作レバーを戻した時に摘み操作部材を自動的に施錠位置へと戻すことができるように前記施錠片３３の係合部３７に係合する小突起状第２係合部４４とがそれぞれ形成されていることを特徴とする開き窓の開閉体用ロック装置。
【請求項４】
請求項１に於いて、ロック装置Ｙのロック部材は、長板状のスライド係合板６１を有し、一方、サブロック錠の連結部材は、前記スライド係合板の下端部に垂直状態に固定された長板状の連結板であることを特徴とする開き窓の開閉体用ロック装置。
【請求項５】
請求項１において、摘み操作部材３１は、内側が開放する摘みケース本体３２と、この摘みケース本体に固定的に設けられ、かつ、駆動腕４１の内端部が係脱する係止部を有する施錠片３３とから成ることを特徴とする開き窓の開閉体用ロック装置。
【請求項６】
開閉体の自由端部に被係合部材を固定し、一方、窓枠に前記被係合部材と係脱するロック部材、該ロック部材を上下方向へ移動させる操作レバーをそれぞれ装着したロック装置を備えた開き窓の開閉体用ロック装置に於いて、前記窓枠にロック装置Ｙに対して所要の間隔を有して前記ロック部材の解錠方向への移動を阻止するサブロック錠Ｘを配設し、該サブロック錠は、窓枠に取付けられた固定部材にスライド自在に設けられた摘み操作部材と、該摘み操作部材の操作力によって回動するように内端部が前記固定部材に軸支され、一方、先端部が前記ロック部材の長板状スライド係合板に枢支された駆動腕とから成ることを特徴とする開き窓の開閉体用ロック装置。
【請求項７】
請求項６に於いて、駆動腕は、長板状スライド係合板６１の他端部に操作レバー６６に対して上下方向に所要の間隔を有して枢支されていることを特徴とする開き窓の開閉体用ロック装置。
【発明の詳細な説明】
【技術分野】
【０００１】
本発明は、建物の一部を構成する開き窓の開閉体（障子）用ロック装置に関する。本発明のロック装置は、特に水平方向かつ外開き型の開閉体（障子）に適用される。
【背景技術】
【０００２】
特許文献１には、「開き窓を構成する窓枠に摘み操作レバーを有するロック部材を取付け、一方、前記窓枠に装着されると共に水平方向に開く開閉体（当業者用語では「障子」）の自由端部の端面に前記摘み操作レバーの先端部が係脱するロック受け板が固定された開き窓の開閉体用ロック装置」が開示されている。
【０００３】
開き窓に装着されるこの種の開閉体用ロック装置は、普通一般に、開閉体の自由端部に被係合部材（オス・メスの係合関係のみならず、窓枠側の障害片に対する当り片も含む。）固定し、一方、窓枠に前記被係合部材と係脱するロック部材（例えばスライド係合片）、該ロック部材を上下方向へ移動させる操作レバーをそれぞれ装着したロック装置を備えている。
【０００４】
ところで、近年、開き窓の開閉体（障子）のガラスを破壊し、破壊した箇所から手を差し込んでロック装置の操作レバーを操作して窓枠側のロック部材と障子の自由端部側の被係合部材を解消させた後、開閉体を開く手口が発生している。
【０００５】
特許文献１の記載の発明は、上記手口に対応することができないという問題点があった。そこで、前記ロック装置のロック部材の解錠方向への移動を阻止するサブロック錠の出現が要望されている。
【特許文献１】特開平９−２２８７１１号公報
【発明の開示】
【発明が解決しようとする課題】
【０００６】
本発明の第１の目的は、防犯性を高めるために、窓枠にサブロック錠を合理的に配設し、泥棒が開閉体のガラスを破壊しても、サブロック錠の摘み操作部材を操作しない限り、ロック装置の操作レバーを解錠方向へ操作することができないこと。第２の目的は、前記１の目的を前提とし、サブロック錠を仮解錠の状態にすることができること。第３の目的は、ロック装置の操作レバーを解錠方向へ操作すると、サブロック錠が自動的に施錠（ロック）状態になることである。
【課題を解決するための手段】
【０００７】
本発明の開き窓の開閉体用ロック装置は、開閉体の自由端部に被係合部材を固定し、一方、窓枠に前記被係合部材と係脱するロック部材、該ロック部材を上下方向へ移動させる操作レバーをそれぞれ装着したロック装置Ｙを備えた開き窓の開閉体用ロック装置に於いて、前記窓枠にロック装置Ｙに対して所要の間隔を有して前記ロック部材の解錠方向への移動を阻止するサブロック錠を配設し、該サブロック錠は、窓枠に取付けられた固定部材にスライド自在に設けられた摘み操作部材と、該摘み操作部材の操作力によって回動するように前記固定部材に軸支された駆動腕と、この駆動腕の駆動力によって上下動することができるように前記ロック部材に一体的に設けられた連結部材から成ることを特徴とする。
【０００８】
上記構成に於いて、固定部材１４の上端部の係合支持部２３と摘み操作部材３１の被係合支持部３４とは互いに連結され、一方、固定部材１４の下端部と摘み操作部材３１の下端部は、バネ部材４０を介して互いに連結されていることを特徴とする。また、駆動腕４１の内端部４１ｂには、サブロック錠の施錠時に施錠片３３の係止部３６と係合可能な鉤状第１係合部４３と、この第１係合部４３とは反対側に形成され、かつ、ロック装置Ｙの操作レバーを戻した時に摘み操作部材を自動的に施錠位置へと戻すことができるように前記施錠片３３の係合部３７に係合する小突起状第２係合部４４とがそれぞれ形成されていることを特徴とする。
【０００９】
また、本発明の開き窓の開閉体用ロック装置は、開閉体の自由端部に被係合部材を固定し、一方、窓枠に前記被係合部材と係脱するロック部材、該ロック部材を上下方向へ移動させる操作レバーをそれぞれ装着したロック装置を備えた開き窓の開閉体用ロック装置に於いて、前記窓枠にロック装置Ｙに対して所要の間隔を有して前記ロック部材の解錠方向への移動を阻止するサブロック錠Ｘを配設し、該サブロック錠は、窓枠に取付けられた固定部材にスライド自在に設けられた摘み操作部材と、該摘み操作部材の操作力によって回動するように内端部が前記固定部材に軸支され、一方、先端部が前記ロック部材の長板状スライド係合板に枢支された駆動腕とから成ることを特徴とする。
【発明の効果】
【００１０】
（１）請求項１に記載の発明は、窓枠にサブロック錠をロック装置Ｙに対して所要間隔を有して配設したので、泥棒が開閉体（障子）のガラスを破壊しても、サブロック錠の摘み操作部材を操作しない限り、ロック装置の操作レバーを解錠方向へ操作することができない。
【００１１】
（２）請求項１に対する従属項２に記載の発明は、サブロック錠の摘み操作部材を上方（ロック解消の方向）にスライド移動させると、固定部材１４の上端部の係合支持部２３と摘み操作部材３１の被係合支持部３４とは互い係合し、サブロック錠は一時的に仮解錠の状態となる（但し、ロック装置Ｙは施錠状態）。したがって、サブロック錠Ｘを一時的に仮解錠の状態にすると、ロック装置の操作レバーを持ち上げることができる。
【００１２】
（３）請求項１に対する従属項３に記載の発明は、操作レバー６６を押し下げ、駆動腕の回転途中に小突起状第２係合部４４が施錠片３３の係合部３７（下方切欠端面）に係合する。したがって、摘み操作部材３１は、駆動腕４１の第２係合部４４によって自動的に下方へと押し下げられ、摘み操作部材３１の施錠片３３の係止部３６に駆動腕４１の鉤状第１係合部４３が係合する。
【発明を実施するための最良の形態】
【００１３】
以下、図面に示す本発明を実施するための最良の形態により、本発明を詳細に説明する。図１乃至１２図は、本発明の一実施例を示す各説明図である。
【００１４】
（１）実施の環境
図１は、開閉体用ロック装置の主要部であるサブロック錠Ｘを平面視から概略的に示す。開閉体用ロック装置の前提要件については後述するが、ロック装置は、普通一般に開き窓１を構成する窓枠２にロック部材が取付けられている。このロック部材は、操作レバー及び該操作レバーの操作力により上下方向に移動するスライド係合板（係合杆の場合も含む）を有する。一方、前記窓枠２に装着されると共に水平方向に開く開閉体３の自由端部３ａに、スライド係合板にロックされる被係合部材（係合片や当り片）が固定されている。
【００１５】
したがって、ロック装置は、固定側の窓枠２に設けられたスライド係合板を有するロック部材と、可動側の開閉体３の自由端部に設けられた被係合部材（例えば当り片）とから成る。
【００１６】
ところで、建物の開き窓１は、窓枠２と、該窓枠２に水平方向に開閉自在に設けられた開閉体としての障子（普通一般に「窓」、当業者用語では通称「障子」）３とから成るが、開き窓１は、例えば出窓の一部や連窓サッシの一部など不動産の一部を構成する。開き窓自体の構成は、本発明の特定要件では無いので、図１では概略的に示し、本発明に関係のない部分は省略してある。
【００１７】
窓枠２は、一般に左右の縦枠と上下の横枠とで方形に形成されている。図１では便宜上、障子３の自由端部３ａと対向する縦枠４のみを示している（他は省略）。縦枠４は、屋外５側の位置で突出し、かつ、障子３の自由端部３ａから突出する突片に設けられた第１パッキン材６と当接可能な雨除け用突片部７と、屋内８側の位置で突出し、かつ、ロック装置のスライド係合板の解錠方向への移動を阻止するサブロック錠Ｘが取り付けられた垂直板部９とを有する。縦枠４の突片状垂直板部９には、サブロック錠Ｘの駆動腕の回動位置との関係で、図３で示すように開口１０が形成されている。
【００１８】
一方、障子３は一般に左右の縦框、上下の横框、パッキン材、ガラスパネル等で構成され、たとえば外開き式回転中心（図示せず）が適宜箇所にあり、閉鎖時、図１の矢印Ａ方向に移動し、その自由端部３ａの内壁面が前述した垂直板部９の外壁面の第２パッキン材１１に当接する。
【００１９】
（２）サブロック錠Ｘの取付け箇所
サブロック錠Ｘは、図１乃至図３で示すように、その駆動腕４１の先端部４１ａが窓枠２の垂直板部９の開口１０を基準にして該垂直板部９の外壁面９ａから突出するように取付けられる。サブロック錠Ｘの摘み操作部材３１は、垂直板部９の内壁面９ｂ側に取付け基板１６を介して上下動自在に設けられている。  
【００２０】
（３）サブロック錠Ｘの基本的構成  
サブロック錠Ｘは、図３乃至図６で示すように、窓枠２に取付けられた固定部材（取付け基板１６及び支持板１７）１４に上下方向にスライド自在に設けられた摘み操作部材３１と、該摘み操作部材３１の操作力によって上下方向に回動するように前記固定部材１４に軸支された駆動腕４１と、この駆動腕４１の駆動力によって上下動することができるようにロック装置のスライド係合板に一体的に設けられ、かつ、窓枠２に設けられた案内部材に案内される連結部材５１とを備えている。そこで、図５を参照にして本発明の基本的構成を順番に説明する。
【００２１】
（４）固定部材１４
固定部材１４は、窓枠２の垂直板部９の内部に複数個の固着具１５を介して固定的に設けられる。固定部材１４は、図５で示すように軸受け機能を有する枠状取付け基板１６と、この取付け基板１６に一体的に嵌合する縦長の支持板１７とから成る。
【００２２】
固定部材１４には、駆動腕３１が貫通することから、取付け板部に駆動腕３１用の開口又は切欠部が適宜に形成されている。
【００２３】
しかして、図５で示すように、１８は駆動腕４１用の開口或いは切欠部を有する取付け板部１９に直交方向に連なる一対の垂直側壁で、これらの垂直側壁１８．１８には、横軸２０用軸孔２１．２１が形成されている。特に符号を付さないが、前記取付け板部１９には固着具用の孔が形成されている。また、取付け板部１９の上壁２２には、支持板１７用の係合部（切欠部）が適宜に形成されている。
【００２４】
一方、縦長支持板１７の表面１７ａの上部には、弾性変位可能な下向きコ字型状の係合支持部２３が突出形成されている。また前記表面１７ａの下部側には、駆動腕３１の内端部と当接可能な横揺れ防止突起部２４が形成されている。この駆動腕用横揺れ防止突起部２４は、摘み操作部材２１に対してはガイド機能を有している。また縦長支持板１７の裏面１７ｂには、取付け板部１９の内側に嵌合する嵌合部２５及びバネ部材の端部用取付け部２６がそれぞれ突設されている。
【００２５】
（５）摘み操作部材３１
摘み操作部材３１は、内側が開放する合成樹脂製の摘みケース本体３２と、この摘みケース本体３２の内部に固定的に設けられ、かつ、駆動腕４１の内端部が係脱する係止部を有する施錠片３３とから成る。
【００２６】
前記摘みケース本体３２の内部空間の上部には、前述した支持板１７の係合支持部２３と係脱する複数個の係合溝を有する被係合支持部３４が設けられている。この被係合支持部３４は、係合支持部２３の形成した左右の突片状係止部にも係合する。なお、前記係合溝等については特に符号を付さないが、支持板１７の係合支持部２３の形状が弾性変位可能な下向きコ字型形状であることから、被係合支持部３４の左右の側壁部にそれぞれ形成されている。したがって、係合支持部２３の形態如何によって被係合支持部３４の係合・係止関係を任意に設計変更することができる。
【００２７】
また摘みケース本体３２の外壁面の下部には、突起状の摘み部３５が形成されている。この摘み部３５の内部は、図３、図６で示すように空洞である。
【００２８】
前記施錠片３３は、上部に短い垂直壁状の係止部３６を有し、この係止部３６から下方方向にアングル状の係合部３７が連なっている。そして、係合部３７の下端縁中央部には、端面Ｌ型のバネ端支持部３８が連なっている。しかして、施錠片３３の係合部３７には、駆動腕４１の内端部が入り込むことが可能な駆動腕用切欠部３９が形成されている。
【００２９】
ところで、バネ部材４０の一端部４０ａは支持板１７のバネ端取付け部２６に、一方、その他端部４０ｂは施錠片３３のバネ端支持部３８にそれぞれ取付けられている。したがって、本実施例の摘み操作部材３１の下端部は、バネ部材４０を介して固定部材１４と連結している。一方、摘み操作部材３１の上端部は、特に詳細に図示しないが、固定部材１４の上端部の係合支持部２３と摘み操作部材３１の被係合支持部３４を介して連結されている。
【００３０】
（６）駆動腕４１
前述したように、駆動腕４１は横軸２０を介して取付け基板１６の垂直側壁１８に軸支されている。また駆動腕４１の先端部４１ａは、窓枠４の垂直板部９の外壁面９ａから突出している。一方、駆動腕４１の内端部４１ｂは、固定部材（取付け基板１６及び支持板１７）１４を貫通して摘み操作部材３１内に入り込んでいる。
【００３１】
しかして、駆動腕４１の先端部４１ａには横軸２０と係合する案内長孔４２が形成されている。一方、駆動腕４１の内端部４１ｂには、施錠片３３の係止部３６と係脱可能な上向きの鉤状第１係合部４３と、この第１係合部４３とは反対側に形成され、かつ、前記施錠片３３の切欠部３９を介して係合部３７に係合する小突起状の第２係合部４４とがそれぞれ形成されている。
【００３２】
（７）連結部材とロック装置のスライド係合板との関係
駆動腕４１の先端部４１ａには、ロック装置Ｙのスライド係合板６１と関係する連結部材５１が枢支ピン５２を介して連結されている。連結部材５１の枢支ピン５２は、駆動腕４１の回動に対応して該駆動腕４１の案内長孔４２に案内される。
【００３３】
しかして、本実施例では連結部材５１の一例としての長板状の連結板は、ロック装置Ｙのスライド係合板６１の下端部に垂直方向に連結され、その上端部の一側面にはブロック状の被案内部５３が固定されている。被案内部５３は窓枠２に固定された端面又は断面リップミゾ形状の案内板５４にスライド自在に嵌入する。したがって、連結部材５１は駆動腕４１の回動に対応して窓枠２の案内板５４に上下方向に案内される。
【００３４】
（８）ロック装置
図７乃至図９を参照にしてロック装置Ｙを簡単に説明する。ロック装置Ｙは、固定側の窓枠２に設けられたスライド係合板６１を有するロック部材６０と、可動側の開閉体３の自由端部に設けられた被係合部材６８とから成る。
【００３５】
しかして、前記ロック部材６０は、連結部材５１の上端部に一体的に設けられたスライド係合板６１と、このスライド係合板６１の上端部の他側面に固着手段を介して固定された係合片６２と、前記スライド係合板６１に設けられた案内ピン６３に先端部の案内長孔６４が係合し、かつ、サブロック錠Ｘの取付け位置よりも上方の位置に取付け部材６５を介して軸支された操作レバー６６とから成る。
【００３６】
本実施例のロック部材６０は、窓枠２の垂直板部９にサブロック錠Ｘの取付け位置に対して所要の間隔を有して上方に配設されている。なお、ロック部材６０の具体的構成は、本発明の特定要件ではないので、割愛する。
【００３７】
ところで、開閉体３側の被係合部材６８は、ロック装置Ｙが施錠状態の時、スライド係合板６１側の係合片６２と係合する突起状の被係合片６９を有している。図８及び図９は、本実施例のロック装置Ｙの施錠状態の一例を示す。
【００３８】
（９）ロック装置Ｙを操作するための手順
図８及び図９は、サブロック錠Ｘのロック時並びにロック装置Ｙの施錠時を示す。サブロック錠Ｘのロック時には、摘み操作部材３１が下方に下降しているので、摘み操作部材３１の施錠片３の係止部３６に駆動腕４１の鉤状第１係合部４３が係合している。このためロック装置Ｙの操作レバー６６を持ち上げることができない。したがって、スライド係合板６１を下げることができないから、ロック部材６０の突起状被係合片６９の前面に係合片６２が立ち塞がり、開閉体３を外方向へ開けることが出来ない。
【００３９】
そこで、図１０はロック装置Ｙを操作するための手順を示す。まず、サブロック錠Ｘの摘み操作部材３１を矢印方向（上方方向）Ｂへと持ち上げる。摘み操作部材３１の摘み部３５を指で摘んで持ち上げると、施錠片３３は駆動腕４１の鉤状第１係合部４３から離れる（係合解消）。
【００４０】
その結果、ロック装置Ｙの操作レバー６６を矢印方向Ｃへと持ち上げることが可能となる。そこで、操作レバー６６を持ち上げると、図１１で示すようにスライド係合板６１及び連結部材５１が下がる（係合片６２が被係合片６９から離れる）。これによりロック装置Ｙの施錠状態が解消する。したがって、開閉体３を開放することができる。
【００４１】
なお、図１１で示すように、本実施例では、駆動腕４１の内端部４１ｂが摘みケース本体３２の内周壁に押圧摺接するので、摘み操作部材３１はバネ部材４０のバネ力に抗して多少外方向へと浮き上がる。
【００４２】
また、サブロック錠の摘み操作部材を上方（ロック解消の方向）にスライド移動させると、固定部材１４の上端部の係合支持部２３と摘み操作部材３１の被係合支持部３４とは互い係合し、サブロック錠は一時的に仮解錠の状態となる（但し、ロック装置Ｙは施錠状態）。したがって、サブロック錠Ｘを一時的に仮解錠の状態にすると、ロック装置の操作レバーを持ち上げることができる。
【００４３】
（１０）サブロック錠Ｘの自動ロック
図１２はサブロック錠Ｘが自動的にロックの状態になる場合を示す。駆動腕４１の内端部４１ｂには、施錠片３３の切欠部３９を介して該施錠片３３の係合部３７に係合する小突起状の第２係合部４４が形成されている。
【００４４】
今仮に、図１で示すように開閉体３を引寄せて閉め、操作レバー６６を押し下げると、連結部材５１が案内板に案内されて上方方向へと移動する。そうすると、駆動腕４１は横軸２０を支点に時計方向へと回転する。この回転の途中に前記小突起状第２係合部４４が施錠片３３の係合部３７（下方切欠端面）に係合するので、摘み操作部材３１は、駆動腕４１の第２係合部４４によって自動的に下方へと押し下げられる。その結果、摘み操作部材３１の施錠片３３の係止部３６に駆動腕４１の鉤状第１係合部４３が係合する。
【実施例】
【００４５】
実施例では、サブロック錠Ｘを構成する要件として、（ａ）摘み操作部材３１、（ｂ）駆動腕４１、（ｃ）連結部材５１等を記述しているが、前記（ｃ）の連結部材５１は、ロック装置Ｙのロック部材６０のスライド板６１に直接連結することができる。
【００４６】
すなわち、特に図示しないが、前記スライド板６１を「１枚」の長板（長尺）状に形成し、該スライド板６１の下端部にサブロック錠Ｘの駆動腕４１の先端部４１ａを枢支しても良い。
【００４７】
したがって、後者の実施例に於いて、「駆動腕４１は、摘み操作部材３１の操作力によって回動するように内端部４１ｂがサブロック錠Ｘの固定部材１４に軸支され、一方、先端部４１ａがロック装置Ｙのロック部材６０の長板状スライド係合板６１の他端部（例えば下端部）に操作レバー６６に対して上下方向に所要の間隔を有して枢支されている。
【００４８】
また、ロック装置Ｙのスライド係合板にロックされる開閉体側の被係合部材は、窓枠側の障害片（ロック部材６０）に対する当り片６９の関係のみならず、オスす・メスの係合関係であっても良い。また、本実施例の用語に於いて、係合部と被係合部との関係は、作用・効果が同一である限り、逆に設計変更することができる。
【産業上の利用可能性】
【００４９】
本発明は、主に建物の一部を構成する開き窓の開閉体（障子）用ロック装置に付加して利用される。
【図面の簡単な説明】
【００５０】
図１乃至図１２は本発明の最良の実施例を示す各説明図。
【図１】本発明を開き窓に適用した実施の形態を示す平面視からの概略説明図。
【図２】窓枠にサブロック錠を取付けた側面図。
【図３】窓枠にサブロック錠を取付けた概略断面説明図。
【図４】図２の４−４線概略断面説明図。
【図５】主要部の分解斜視図。
【図６】サブロック錠が解錠（ロック解消）状態の説明図。
【図７】窓枠側のロック部材と開閉体側の被係合部材との関係を示す斜視図。
【図８】ロック装置のロック部材（操作レバー、スライド係合板など）と開閉体側の被係合部材との関係を示す斜視図。
【図９】サブロック錠が施錠（ロック）状態の説明図。
【図１０】図６に於いて、ロック装置の操作レバーを操作することができる旨の概略説明図。
【図１１】図１０に於いて、ロック装置の操作レバーを解錠方向へと持ち上げた時の概略説明図。
【図１２】ロック装置の操作レバーを施錠方向へと押し下げた時の概略説明図。
【符号の説明】
【００５１】
1…開き窓、２…窓枠、３…障子、３ａ…自由端部、４…縦枠、５…屋外、８…屋内、９…垂直板部、１０…開口、Ａ…矢印（閉鎖方向）、Ｙ…ロック装置、Ｘ…サブロック錠、１４…固定部材、１６…取付け基板、１７…支持板、１８…垂直側壁、１９…取付け板部、２３…係合支持部、２４…横揺れ防止突起部、２５…嵌合部、２６…バネ部材の端部用取付け部、３１…摘み操作部材、３２…摘みケース本体、３３…施錠片、３４…被係合支持部、３５…摘み部、３６…係止部、３７…係合部、３８…バネ端支持部、３９…切欠部、４０…バネ部材、４１…駆動腕、４１ａ…先端部、４１ｂ…内端部、４２…案内長孔、４３…第１係合部、４４…第２係合部、５１…連結部材、５３…被案内部、５４…案内板、６０…ロック部材、６１…スライド係合板、６２…係合片、６４…案内長孔、６８…被係合部材。
【図１】
2005105563.tif 000003
【図２】
2005105563.tif 000004
【図３】
2005105563.tif 000005
【図４】
2005105563.tif 000006
【図５】
2005105563.tif 000007
【図６】
2005105563.tif 000008
【図７】
2005105563.tif 000009
【図８】
2005105563.tif 000010
【図９】
2005105563.tif 000011
【図１０】
2005105563.tif 000012
【図１１】
2005105563.tif 000013
【図１２】
2005105563.tif 000014